(57)【要約】      （修正有）【課題】既存の壁を傷つけることなく、容易に複数枚のパネルを連結させて取り付けることができるパネル取付構造及びパネル施工方法を提供する。【解決手段】前方向に突出した出っ張り部の前面に取着される前面パネル３と、出っ張り部の下面に取着される下面パネル２と、出っ張り部に連続する壁に取着される壁面パネル１とを連結させて取り付ける、それぞれのパネルは、表面に配される板状の基材４と、基材の背面に設けられる発泡系断熱材５とを備え、壁面パネルと下面パネルとは、第１の連結部材１０の一端部１１を基材と発泡系断熱材との間に挿入させて固定具６で固定し、前面パネルと下面パネルとは、第２の連結部材２０の他端部１２側を下面パネルの基材の表面部４０に重ねて固定具で固定し、一端部を前面パネルの基材と発泡系断熱材との間に挿入させて固定するともに、他端部側を下面パネルの基材の表面に重ねて固定具で固定する。【選択図】図１
2014118676.tif 000002
【特許請求の範囲】
【請求項１】
前方向に突出した出っ張り部の前面に取着される前面パネルと、前記出っ張り部の下面に取着される下面パネルと、前記出っ張り部に連続する壁に取着される壁面パネルとを連結させて取り付けるパネル取付構造であって、
前記それぞれのパネルは、表面に配される板状の基材と、該基材の背面に設けられる発泡系断熱材とを備え、前記壁面パネルと前記下面パネルとは、第１の連結部材によって連結され、前記前面パネルと前記下面パネルとは、第２の連結部材によって連結され、
前記第１の連結部材は、その一端部を前記壁面パネルの前記基材と前記発泡系断熱材との間に挿入させて固定具で固定されるともに、その他端部側を前記下面パネルの前記基材の表面部に重ねて固定具で固定され、
前記第２の連結部材は、その一端部を前記前面パネルの前記基材と前記発泡系断熱材との間に挿入させて固定具で固定されるともに、その他端部側を前記下面パネルの前記基材の表面部に重ねて固定具で固定されていることを特徴とするパネル取付構造。
【請求項２】
請求項１において、
前記第１の連結部材及び前記第２の連結部材の一端部側が、前記他端部側よりも長く形成されていることを特徴としたパネル取付構造。
【請求項３】
前方向に突出した出っ張り部の前面に取着する前面パネルと、前記出っ張り部の下面に取着する下面パネルと、前記出っ張り部に連続する壁面に取着する壁面パネルとを連結して取り付けるパネル施工方法であって、
前記それぞれのパネルは、表面に配される板状の基材と、該基材の背面に設けられる発泡系断熱材とを備え、
前記壁面パネルと前記下面パネルとを連結する第１の連結部材の一端部を前記壁面パネルの前記基材と前記発泡系断熱材との間に挿入した状態で、前記壁面に前記壁面パネルを取着するとともに前記下面に前記下面パネルを取着し、前記第１の連結部材の他端部が前記下面パネルの表面部に当接する位置まで第１の連結部材を押し上げた後、前記第１の連結部材を固定具で固定し、
前記前面パネルを前記前面に取着し、前記前面パネルと前記下面パネルとを連結する第２の連結部材の一端部を前記前面パネルの前記基材と前記発泡系断熱材との間に挿入した状態で、第２の連結部材を他端部が下面パネルの表面部に当接する位置まで上に押し上げた後、前記第２の連結部材を固定具で固定することを特徴とするパネル施工方法。
【発明の詳細な説明】
【技術分野】
【０００１】
本発明は、複数のパネルを連結させて取り付けるパネル取付構造及びパネル施工方法に関する。
【背景技術】
【０００２】
従来より、既存の壁面に断熱性、防音性等の機能を備えたパネルを取り付けてリフォームすることが行われているが、パネルは壁面の平坦な箇所だけでなく、梁や柱などの出っ張り部がある箇所にも取り付けられる。
パネルを壁面にビスなどの固定具で固定することができる場合はよいが、コンクリート壁に直接、固定具を用いて固定することは難しく、またマンションや賃貸住宅等では管理組合や家主の許可が必要な場合があり、容易にビス打ちを行えない。
そこでパネルの裏面に接着剤を塗布したり、両面テープを貼るなどして、壁に接着させる方法が考えられる。しかし接着剤等による接着だけでは、接着剤の塗布不良や壁の曲がりなどの問題から、パネルがはがれて落下する場合がある。特に上述のような梁などの出っ張り部が壁にある場合、出っ張り部の下面に取着されるパネルは、重力によってより一層はがれやすく、接着の信頼性が低いことが問題となる。
【０００３】
例えば、下記特許文献１には、内装壁パネルの取付構造が開示されている。ここには、内装壁パネルを所定の広さ毎に分割して形成し、その裏面側の四隅に嵌挿孔が形成された取付部を設け、コンクリート壁に取り付けられ突起が形成された受け部材に取付部を押し込んでいく取付構造が記載されている。
これによれば、コンクリート壁に簡単に内装壁パネルを施工することができるとされている。
【先行技術文献】
【特許文献】
【０００４】
【特許文献１】特開２００５−３６５７３号公報
【発明の概要】
【発明が解決しようとする課題】
【０００５】
しかしながら、ここに開示されている受け部材は、コンクリート壁に直接ねじや釘によって取り付けられているので、コンクリート壁に固定具を打ち込みたくない場合に適用できない。
【０００６】
本発明は、このような事情を考慮して提案されたもので、その目的は、既存の壁を傷つけることなく、容易に複数枚のパネルを連結させて取り付けることができるパネル取付構造及びパネル施工方法を提供する。
【課題を解決するための手段】
【０００７】
上記目的を達成するために、本発明に係るパネル取付構造は、前方向に突出した出っ張り部の前面に取着される前面パネルと、前記出っ張り部の下面に取着される下面パネルと、前記出っ張り部に連続する壁に取着される壁面パネルとを連結させて取り付けるパネル取付構造であって、前記それぞれのパネルは、表面に配される板状の基材と、該基材の背面に設けられる発泡系断熱材とを備え、前記壁面パネルと前記下面パネルとは、第１の連結部材によって連結され、前記前面パネルと前記下面パネルとは、第２の連結部材によって連結され、前記第１の連結部材は、その一端部を前記壁面パネルの前記基材と前記発泡系断熱材との間に挿入させて固定具で固定されるともに、その他端部側を前記下面パネルの前記基材の表面に重ねて固定具で固定され、前記第２の連結部材は、その一端部を前記前面パネルの前記基材と前記発泡系断熱材との間に挿入させて固定具で固定されるともに、その他端部側を前記下面パネルの前記基材の表面に重ねて固定具で固定されていることを特徴とする。
【０００８】
また、本発明において、前記第１の連結部材及び前記第２の連結部材の一端部側が、前記他端部側よりも長く形成されているようにしてもよい。
【０００９】
本発明に係るパネル施工方法は、前方向に突出した出っ張り部の前面に取着する前面パネルと、前記出っ張り部の下面に取着する下面パネルと、前記出っ張り部に連続する壁面に取着する壁面パネルとを連結して取り付けるパネル施工方法であって、前記それぞれのパネルは、表面に配される板状の基材と、該基材の背面に設けられる発泡系断熱材とを備え、前記壁面パネルと前記下面パネルとを連結する第１の連結部材の一端部を前記壁面パネルの前記基材と前記発泡系断熱材との間に挿入した状態で、前記壁面に前記壁面パネルを取着するとともに前記下面に前記下面パネルを取着し、前記第１の連結部材の他端部が前記下面パネルの表面部に当接する位置まで第１の連結部材を押し上げた後、前記第１の連結部材を固定具で固定し、前記前面パネルを前記前面に取着し、前記前面パネルと前記下面パネルとを連結する第２の連結部材の一端部を前記前面パネルの前記基材と前記発泡系断熱材との間に挿入した状態で、第２の連結部材を他端部が下面パネルの表面部に当接する位置まで上に押し上げた後、前記第２の連結部材を固定具で固定することを特徴とする。
【発明の効果】
【００１０】
本発明に係るパネル取付構造及びパネル施工方法によれば、既存の壁を傷つけることなく、容易に複数枚のパネルを連結させて取り付けることができる。
【図面の簡単な説明】
【００１１】
【図１】（ａ）本発明の一実施形態に係るパネル取付構造を模式的に示した概略全体斜視図であり、（ｂ）は（ａ）のＸ部・拡大図である。
【図２】（ａ）及び（ｂ）は、同パネル取付構造による取付状態を模式的に示した概略縦断面図であり、（ｂ）は（ａ）のＹ部・拡大図である。
【図３】（ａ）は同パネル取付構造に用いられるパネルを模式的に示した概略断面図であり、（ｂ）は同パネルを模式的に示した概略部分斜視図である。
【発明を実施するための形態】
【００１２】
以下に本発明の実施の形態について、図面に基づいて説明する。
なお、一部の図では、他図に付している詳細な符号の一部を省略しており、図１（ｂ）は説明のため、固定具６が挿通されていく途中の状態を模式的に示しているが、この固定具６も他の部位に挿通される固定具６と同様、それぞれのパネル１〜３を連結するために螺装される。また図２（ａ）及び（ｂ）は概略縦断面図であるが、説明のためハッチングを省略している。さらに、以下の実施形態では、壁面パネル等を施工した状態において、壁面パネルに対面した状態を基準として、手前側を前方向、前後方向や上下方向、縦横方向等の方向を説明する。
【００１３】
図１〜図３は、本実施形態に係るパネル取付構造及びパネル施工方法の一例を模式的に示す図である。
本実施形態に係るパネル取付構造は、パネル１〜３、具体的には、前面パネル３と下面パネル２と壁面パネル１とを連結させて取り付ける構造に関する。前面パネル３は前方向に突出した出っ張り部９０の前面９０ａに取着される。下面パネル２は出っ張り部９０の下面９０ｂに取着される。壁面パネル１は出っ張り部９０に連続する壁９に取着される。これらそれぞれのパネル１〜３は、表面に配される板状の基材４と、基材４の背面に設けられる発泡系断熱材５とを備えている。壁面パネル１と下面パネル２とは、第１の連結部材１０によって連結され、前面パネル３と下面パネル２とは、第２の連結部材２０によって連結されている。
第１の連結部材１０は、その一端部１１を壁面パネル１の基材４と発泡系断熱材５との間に挿入させて固定具６で固定されるともに、その他端部１２側を下面パネル２の基材４の表面部４０に重ねて固定具６で固定されている。第２の連結部材２０は、その一端部２２を前面パネル３の基材４と発泡系断熱材５との間に挿入させて固定具６で固定されるともに、その他端部２１側を下面パネル２の基材４の表面部４０に重ねて固定具６で固定されている。
以下、詳しく説明する。
【００１４】
まずは、壁９及び出っ張り部９０に取着される壁面パネル１、下面パネル２、前面パネル３について説明する。
これらパネル１〜３は、平面視において略矩形状の平板体とされ、その寸法や形状は、設置される壁９及び出っ張り部９０の前面９０ａ及び下面９０ｂの寸法に合わせて形成される。これらパネル１〜３を複数枚用いて横並び、縦並びに隣接させ、既存の壁体の壁９や出っ張り部９０を略覆うように略全域に亘って配設し、図例のパネル１〜３は、互いに略同横幅寸法とされている。
【００１５】
これらパネル１〜３は、上述のとおり、表面に配される板状の基材４と、基材４の背面に設けられる発泡系断熱材５とを備え、図例のものは図３（ａ）及び図３（ｂ）に示すように真空断熱材８と、背面側に設けられる裏面材７も備えている。
基材４は、例えば鋼板よりなる金属板（不図示）の表裏を樹脂層（不図示）で被覆した板材を折曲げ形成してものとしてもよい。鋼板としては、例えば亜鉛めっき鋼板や塗装鋼板、錫めっき鋼板などを用いてもよい。なお、金属板は鋼板に限らず、他の金属を用いてもよい。
金属板の表裏に樹脂層を構成する合成樹脂は、熱可塑性樹脂であってもよいし、熱硬化性樹脂であってもよい。また、合成樹脂としては、塩化ビニルに限らず、他の合成樹脂が用いられるものとしてもよい。
このように、金属板の表裏に樹脂層を設けて基材４を形成することで、錆の発生を防止できる。
なお、パネル１〜３は上述に限定されず、たとえば、木質系材料や石膏ボード等から形成されるものであってもよいし、断熱性の他、防音性、消臭性等を備えた機能性パネルであってもよい。
【００１６】
発泡系断熱材５としては、ポリウレタン樹脂、塩化ビニル樹脂などの合成樹脂が用いられる。なお、合成樹脂は、熱可塑性樹脂であってもよいし、熱硬化性樹脂であってもよい。また、合成樹脂としては、ポリウレタン樹脂、塩化ビニル樹脂に限らず、他の合成樹脂が用いられるものとしてもよい。要は、第１の連結部材１０及び第２の連結部材２０の一端部１１，２２が、基材４と発泡系断熱材５との間に挿入され差し込まれたときに、発泡系断熱材５が若干、一端部１１，２２に押されて弾性変形するような柔軟性を有する断熱材であればよい。
なお、基材４は、上記のような金属板と樹脂層による層構造でなくてもよく、その材料についても特に限定されず、種々の材料を使用して製されたものとしてもよい。
【００１７】
次に図３（ａ）及び図３（ｂ）を参照しながら、前面パネル３、下面パネル２、壁面パネル１のうち、壁面パネル１を例にしてさらに詳しくパネルの構造について説明する。なお、前面パネル３と下面パネル２と壁面パネル１とは、構造はいずれも同じで形状、大きさが異なる。
壁面パネル１は、壁９に設置された際に縦長の長方形状に形成されている。壁面パネル１を構成する基材４は、略平板状とされる表面部４０と、側面部４１，４１とを有しており、断面略凹状とされる。
側面部４１，４１は、表面部４０の幅方向の両端より壁面パネル１の厚さ方向に立ち上がり形成されている。
なお、基材４の形状は図例に限定されず、側面部４１，４１の反表面部側の端縁から相互に向き合って突出して形成された裏側縁片部（不図示）を備えたものとしてもよい。
壁面パネル１の基材４の凹所内には、発泡系断熱材５が充填されており、凹所の開口を塞ぐように壁面パネル１の背面側には、裏面材７が取り付けられている。
壁面パネル１の略中央部位には、発泡系断熱材５で覆われるように配設された真空断熱材８が設けられている。
【００１８】
次に壁面パネル１、下面パネル２、前面パネル３を連結する第１の連結部材１０と第２の連結部材２０について説明する。
まず第１の連結部材１０及び第２の連結部材２０は、いずれも同寸同形状のものとすることができる。図１、図２に示すように第１の連結部材１０及び第２の連結部材２０は、断面略Ｌ字形状からなり、この略Ｌ字の一方を一端部１１，２２、他方を他端部１２，２１とし、その厚さは０．４ｍｍ前後の薄い鋼板からなるものとしてもよい。一端部１１，２２と他端部１２，２１の先側の形状は、特に限定されないが、図例の先側の形状は、円く湾曲した湾曲部（２１ａ，２２ａ・図１（ｂ）参照）に形成されている。一端部１１，２２及び他端部１２，２１の幅方向の略中央部位で、且つ湾曲部（２１ａ，２２ａ）側には、固定具６が挿通される挿通孔（２１ｂ，２２ｂ・図１（ｂ）参照）がそれぞれに形成されている。ここで用いられる固定具６は特に限定されないが、壁面パネル１，下面パネル２、前面パネル３を貫いて壁９や出っ張り部９０に至らない長さのビスが好適に用いられる。
第１の連結部材１０及び第２の連結部材２０の一端部１１，２２側は、他端部１２，２１側よりも長く形成されており、この一端部１１，２２側が壁面パネル１或いは前面パネル３の基材４と発泡系断熱材５との間に挿入される。一方、第１の連結部材１０及び第２の連結部材２０の他端部１２，２１は、下面パネル２の表面部４０に重ねて設置し、この状態で固定具６によって固定される。
【００１９】
このように一端部１１，２２を他端部１２，２１より長く形成することにより、例えば図２（ｂ）に示すように壁面パネル１と下面パネル２との間に距離があっても、第１の連結部材１０の一端部１１が他端部１２より長く形成されているので、壁面パネル１と下面パネル２とを連結することができる。
また前面パネル３と下面パネル２とを連結する第２の連結部材２０の一端部２２側が他端部２１よりも長く形成されているので、下面パネル２の厚みに対応することができる。
すなわち、下面パネル２の厚みが様々であっても、図１（ｂ）に示すように下面パネル２の表面部４０から前面パネル３の基材４の下端部４ａまで第２の連結部材２０は十分に届くので、下面パネル２と前面パネル３とを連結することができる。
【００２０】
以上によれば、既存の壁９や出っ張り部９０を傷つけることなく、容易に複数枚のパネル、ここでは壁面パネル１、下面パネル２、前面パネル３を連結させて取り付けることができる。よって、例えば壁面パネル１、下面パネル２、前面パネル３を壁９及び出っ張り部９０の前面９０ａ、下面９０ｂに、接着剤などを使って接着させた際に、接着不良等が生じても、部分的にこれらパネル１〜３が落下してしまうことを防ぐことができる。特に重力によって落下しやすい下面パネル２を第１の連結部材１０及び第２の連結部材２０で壁面パネル１と前面パネル３とに連結させることができるので、下面パネル２が出っ張り部９０の下面９０ｂから落下することを防ぐことができる。
また第１の連結部材１０及び第２の連結部材２０の一端部１１，２２は、壁面パネル１或いは前面パネル３、それぞれの基材４と発泡系断熱材５の間に挿入され、下面パネル２の表面部４０に第１の連結部材１０及び第２の連結部材２０の他端部１２，２１がそれぞれ固定具６で固定されるので、室内側からは第１の連結部材１０及び第２の連結部材２０の目立ないので、見栄えがよい。
さらに下面パネル２と壁面パネル１とが第１の連結部材１０で連結されるので、図２（ａ）に示すように他のパネルより長尺の壁面パネル１の倒れ込みを防止することができる。
【００２１】
次に図を参照しながら、パネル１〜３の施工方法の一例について説明する。
本実施形態におけるパネル施工方法は、壁面パネル１と下面パネル２とを連結する第１の連結部材１０の一端部１１を壁面パネル１の基材４と発泡系断熱材５との間に挿入した状態で、壁面９に壁面パネル１を取着するとともに下面９０ｂに下面パネル２を取着する。第１の連結部材１０の他端部１２が下面パネル２の表面部４０に当接する位置まで第１の連結部材１を押し上げた後、第１の連結部材１０を固定具６で固定する。前面パネル３を前面９０ａに取着し、前面パネル３と下面パネル２とを連結する第２の連結部材２０の一端部２２を前面パネル３の基材４と発泡系断熱材５との間に挿入した状態で、第２の連結部材２０を他端部２１が下面パネル２の表面部４０に当接する位置まで上に押し上げた後、第２の連結部材２０を固定具６で固定する。
以下、詳しく説明する。
【００２２】
まずは図２（ａ）に示す壁面構造を簡単に説明する。
図２（ａ）において、３０は天井、３１は天井３０の天井野縁（不図示）にネジ止めされる壁上フレーム、３３は床面、３４は巾木、３５は壁下フレームであり、巾木３４は、壁下フレーム３５にタッカー打ちされる。
出っ張り部９０は、壁９より前方向に突出した部位をいい、図中、９０ａは出っ張り部９０の前面、９０ｂは下面である。出っ張り部９０が梁の場合は、９０ｂは梁下に相当する。
以下では、図２（ａ）のような壁面構造に設置される壁面パネル１、下面パネル２、前面パネル３の施工方法を説明する。
【００２３】
まず、壁面パネル１の上端部の幅方向略中央位置に、第１の連結部材１０の一端部１１を壁面パネル１の基材４と発泡系断熱材５との間に挿入しておく。壁面パネル１及び下面パネル２の裏面側のそれぞれに接着剤を塗布し、第１の連結部材１０の一端部１１が壁面パネル１に挿入された状態で壁９に壁面パネル１を貼り付ける（図２（ｂ）の点線図示参照）。出っ張り部９０の下面９０ｂには、下面パネル２を貼り付ける。ここで、接着剤は、もちろん貼り付ける対象（例えば壁９）に塗布しておき、壁面パネル１及び下面パネル２を接着していってもよい。
そして第１の連結部材１０の他端部１２が下面パネル２の表面部４０に当接する位置まで、第１の連結部材１０を上に押しあげ、その後、固定具６で一端部１１を壁面パネル１の上端部に、他端部１２を下面パネル２の表面部４０の壁９側に固定する。
これにより、壁面パネル１と下面パネル２とをしっかり連結することができ、壁面パネル１の前方への倒れ、下面パネル２の落下を防ぐことができる。
ここで第１の連結部材１０は、予め壁面パネル１の上端部に取り付けておかなくてもよく、壁面パネル１と下面パネル２との間に間隔があれば、壁面パネル１を壁９に貼り付けた後に一端部１１を壁面パネル１の基材４と発泡系断熱材５との間に挿入するようにしてもよい。
【００２４】
次いで、前面パネル３の裏面側に接着剤を塗布し、出っ張り部９０の前面９０ａに貼り付ける。そして前面パネル３の下端部の幅方向略中央位置に、第２の連結部材２０の一端部２２を前面パネルの基材４と発泡系断熱材５との間に下から挿入する。この状態で第２の連結部材２０を他端部２１が下面パネル２の表面部４０に当接する位置まで押し上げ、その後、固定具６で一端部２２を前面パネル３の下端部に、他端部２１を下面パネル２の表面部４０の前方向側に固定する。さらに前面パネル３の上端部の略中央位置から基材４に向けて固定具６を打ち込み、前面パネル３の上端を固定する。
これにより、前面パネル３と下面パネル２とをしっかり連結することができ、前面パネル３が倒れたり落下することを防止できる。
特に重力を受けて落下しやすい下面パネル２は、第１の連結部材１０及び第２の連結部材２０によって、表面部４０が支持され外側から保持される状態となり、さらに壁面パネル１及び前面パネル３と連結している。よって、例えば接着剤による接着強度が低下しても下面パネル２が落下すること防ぐことができる。
【００２５】
以上、上述した実施形態は一例であって、これに限定されるものではない。例えば出っ張り部９０は、梁として出っ張った箇所に限定されず、配管が這わされている箇所がある場所であってもよい。また、上記した実施形態に係る壁面パネル１、下面パネル２、前面パネル３、第１の連結部材１０、第２の連結部材２０等の構成、形状、設置数等は図例に限定されるものではなく、例えばパネル１〜３は、裏面材７を有していなくてもよい。図例では第１の連結部材１０及び第２の連結部材２０がそれぞれのパネル１〜３の横方向の略中央部位にひとつずつ設けられた例を示しているが、これに限定されず、パネル１〜３の大きさなどによって適宜複数個設けるようにしてよい。
【符号の説明】
【００２６】
１          壁面パネル
２          下面パネル
３          前面パネル
４          基材
４０        表面部
５          発泡系断熱材
６          固定具
１０        第１の連結部材
１１        一端部
１２        他端部
２０        第２の連結部材
２１        他端部
２２        一端部
【図１】
2014118676.tif 000003
【図２】
2014118676.tif 000004
【図３】
2014118676.tif 000005